(57)【特許請求の範囲】
【請求項１】
複数桁からなる暗証番号の各桁に対応する数字を入力する暗証番号入力装置であって、
左右両回りの回転操作が可能な回転ノブと、
前記回転ノブが回転することにより得られる回転角を検知する回転角検知部と、
前記回転角が所定回転角であるとき、前記数字を変更する数字変更部と、
前記回転ノブが前記所定回転角回転させられたときに、前記数字変更部により変更された前記数字に対応する回数の可聴周波数外の振動を発生させる振動部と、
前記数字変更部により変更された前記数字を確定する暗証番号確定部と、
を備えることを特徴とする暗証番号入力装置。
【請求項２】
前記数字変更部は、
前記回転ノブが回転させられ前記所定回転角を超えると、値が１つ増加または減少した数字に変更することを特徴とする請求項１に記載の暗証番号入力装置。
【請求項３】
前記数字変更部は、
前記回転ノブが回転させられ前記所定回転角を超えると、値の変化量が増加または減少した数字に変更することを特徴とする請求項１に記載の暗証番号入力装置。
【請求項４】
前記暗証番号確定部は、
前記回転ノブを押下することにより前記数字を確定することを特徴とする請求項１ないし請求項３のいずれか１項に記載の暗証番号入力装置。
【請求項５】
前記暗証番号確定部は、
前記回転ノブを押下することにより前記数字が確定すると、前記回転ノブの回転により確定した前記数字をクリアし、所定の数字に変更することを特徴とする請求項４に記載の暗証番号入力装置。
【請求項６】
複数桁からなる暗証番号の各桁に対応する数字を入力する暗証番号入力装置を用いた暗証番号入力方法であって、
左右両回りの回転操作が可能な回転ノブを備えた前記暗証番号入力装置が、
前記回転ノブが回転することにより得られる回転角を検知するステップと、
前記回転角が所定回転角であるとき、前記数字を変更するステップと、
前記回転ノブが前記所定回転角回転させられたときに、変更された前記数字に対応する回数の可聴周波数外の振動を発生させるステップと、
前記変更された前記数字を確定するステップと、
を有することを特徴とする暗証番号入力方法。
【請求項７】
請求項１ないし請求項５のいずれか１項に記載の暗証番号入力装置を備えたことを特徴とする自動取引装置。
【発明の詳細な説明】
【技術分野】
【０００１】
本発明は、暗証番号入力装置、暗証番号入力方法、および自動取引装置に関するものである。
【背景技術】
【０００２】
従来、銀行等に設置されているＡＴＭ等の自動取引装置から、預金を引き出す場合等には、利用者の身分証明のために暗証番号を入力する必要がある。暗証番号は、例えば４桁の数字の組み合わせからなるもので、ディスプレイをタッチパネル式にしてその中にテンキーを表示して入力させるものが多い。このテンキーには、０〜９までの数字が割り当てられており、暗証番号の入力を求められた利用者は、このテンキーを複数回押下して必要な桁数の数字を入力する。これにより、例えば４桁の数字“０１２３”が暗証番号として入力される。
【０００３】
しかし、このような従来の方法では、ディスプレイ等の表示部に表示された数字を直接押下するものであるため、第三者に入力する手元を覗かれたり、利用者の指の動きと位置で、入力した番号を第三者に推察されることなどにより、暗証番号が流出する危険があった。
【０００４】
このような問題点を解決するために、表示部の画面上に、０〜９の数字が配置された回転数字板とポインタとを表示し、利用者が暗証番号入力装置に設けられたダイヤルを回すことで、これに連動して表示部の中の回転文字板も回転し、ポインタに合わせた回転文字板の数字が示す番号を確定することで、暗証番号を入力する発明が開示されている（例えば、特許文献１参照）。
【特許文献１】特開平１１−８６０９３号公報
【発明の開示】
【発明が解決しようとする課題】
【０００５】
しかしながら、特許文献１に記載された発明では、利用者がテンキーを押下することにより暗証番号を入力する際の指の動きや位置を第三者に覗かれることは防げるが、表示部においては０〜９の数字が配置された回転文字板が表示されているため、利用者が確定しようとする数字を第三者が視認できる場合がある。そのため、暗証番号の流出の危険性がなくなるものではない。
【０００６】
このような背景に鑑みて本発明がなされたのであり、本発明は、暗証番号を第三者に察知されにくくした暗証番号入力装置、暗証番号入力方法、および自動取引装置を提供することを目的とする。
【課題を解決するための手段】
【０００７】
前記課題を解決するため、本発明の暗証番号入力装置、暗証番号入力方法、および自動取引装置は、回転ノブが回転することにより得られる回転角を検知し、その回転ノブが所定回転角回転したと判断することで、暗証番号として入力する数字を変更し、変更された数字に対応する回数の可聴周波数外の振動を発生させ、その変更された数字を確定することにより暗証番号を入力することを特徴とする。
【発明の効果】
【０００８】
本発明によれば、暗証番号を第三者に察知されにくくした暗証番号入力装置、暗証番号入力方法、および自動取引装置を提供することができる。
【発明を実施するための最良の形態】
【０００９】
次に、本発明を実施するための最良の形態（「実施形態」という）について、適宜図面を参照しながら詳細に説明する。
【００１０】
（第１の実施形態）
図１は、本発明の第１の実施形態に係る暗証番号入力装置を備えた自動取引装置を示す。この自動取引装置１は、銀行や郵便局等の金融機関またはコンビニエンスストア等に設置されるものであり、利用者の操作により入金や引き出し等の取引ができるものである。
【００１１】
この自動取引装置１の上面には、各種の情報を表示する表示部２、暗証番号を入力するための回転ノブ３（詳細は後記する）、その他取引に必要なカード挿入口４や入出金口５等が設けられている。また自動取引装置１の内部には、表示部２の表示画面を制御したり、入出金処理を制御したり、サーバとの通信を制御する等の取引全般を処理する機能を有する制御手段（不図示）を備えている。
【００１２】
また、図２は、本発明の第１の実施形態に係る暗証番号入力装置の構成例を示す機能ブロック図である。
暗証番号入力装置１０は、表示部２に表示する情報の制御を行う表示制御部１１と、回転ノブ３の回転角を検知する回転角検知部１２と、暗証番号として入力される数字を変更する数字変更部１３と、その変更された数字を暗証番号の１桁として確定する暗証番号確定部１４と、その確定した暗証番号の数字を一時的に記憶しておく記憶部１５と、装置全体の制御を行う制御部１６とを備えている。
【００１３】
表示制御部１１は、暗証番号を入力するための回転ノブ３の操作方法や手順、その他の利用者に対する案内を、文字や図形を用いて、表示部２に表示させる機能を有する。また、情報の確認や取消等のユーザによる入力を、表示部２に備えられたタッチパネル等を検知し、対応する情報を制御部１６に伝える機能を有する。
【００１４】
回転角検知部１２は、自動取引装置１の上面に備え付けられた回転ノブ３を利用者が回転することによって得られる回転角を検知する機能を有する。具体的には、可変抵抗器やロータリースイッチ、あるいは非接触型の磁器センサを用いた回転角度センサ等により、角度情報を電気信号として変換した情報を検知する。
【００１５】
数字変更部１３は、回転ノブ３が所定角回転したことを回転角検知部１２が検知することにより、暗証番号として入力する数字を変更する機能を有する。
【００１６】
図３は、回転ノブ３が所定回転角回転したことに対応して、数字変更部１３が暗証番号として入力する数字を変更する機能を説明する図である。
ここでは、暗証番号として入力する数字の初期値が「０」であり、所定の回転角が４５度に設定されている場合について説明する。
【００１７】
利用者が、回転ノブ３を例えば右回りに４５度回転させると、回転角検知部１２が所定の回転角である４５度回転されたことを検知する。そして、この回転角検知部１２による検知により、数字変更部１３は利用者が暗証番号として入力する値を「＋１」増加し、「０」から「１」に変更する。この状態からさらに右回りに４５度回転させると、さらに「＋１」増加され、数字の値が「１」から「２」に変更される。このように利用者が右回りに４５度回転ノブ３を回転するごとに、数字の値が「＋１」ずつ増加する。
一方、利用者が、回転ノブ３を左回りに４５度回転させた場合、数字の値が初期値「０」から「−１」減少し、「９」となる。この状態でさらに左回りに４５度回転させると数字の値がさらに「−１」減らされ「８」となる。このように利用者が左回りに４５度回転ノブ３を回転させるごとに、暗証番号として入力する数字の値が「−１」ずつ減少する。
【００１８】
このようにすることで、利用者は、表示部に表示された０〜９の数字を視認することなく、回転ノブ３を回転することにより得られる所定の回転角に対応付けられた数字を基に入力を行うことができる。
【００１９】
図２の戻り、暗証番号確定部１４は、数字変更部１３で変更された数字を暗証番号の１桁に対応する数字として確定する機能を有する。具体的には、回転ノブ３が押下されることによって、数字変更部１３で変更された数字を確定する。
また、暗証番号確定部１４は、利用者の操作によって暗証番号が確定されると、確定した数字を記憶部１５に記憶させる機能を有する。そして、暗証番号確定部１４は、次の桁の入力のため、その確定した数字をクリアし、記憶部１５に記憶された初期値（例えば「０」）に戻す機能を有する。
【００２０】
記憶部１５は、暗証番号確定部１４により確定した暗証番号の各桁に該当する数字を、一時的に記憶する機能を有し、ＲＡＭ（Random Access Memory）等により構成される。そして、記憶部１５は、利用者が各桁を入力する際の回転ノブ３の数字の初期値を記憶する。
また、制御部１６は、暗証番号入力装置１全体の暗証番号入力処理の制御を行う機能を有する。そして、この制御部１６、表示制御部１１、回転角検知部１２、数字変更部１３、及び暗証番号確定部１４は、例えば暗証番号入力装置１０のハードディスクドライブに格納されたプログラムをＣＰＵ(Central Processing Unit)がＲＡＭに展開して実行することで実現される。
【００２１】
次に図１〜図３を参照しつつ、図４〜図８に沿って、本実施形態に係る暗証番号入力装置の動作を説明する。
【００２２】
自動取引装置（ＡＴＭ装置等）を用いた金融取引において暗証番号の入力を必要とするサービスは種々あるが、ここでは引き出し取引を例にして説明する。
【００２３】
図４は、引き出し取引における自動取引装置の処理の流れを示すフローチャートである。
利用者によりカード挿入口４にカードが挿入されると（ステップＳ４０１）、表示部２の画面上に取引内容の選択画面が表示される。次に利用者により、「引き出し」取引が選択されると（ステップＳ４０２）、表示部２に暗証番号の入力を促す画面が表示され、暗証番号入力処理が行われる（ステップＳ４０３）。この暗証番号入力処理については、以下において詳細に説明する。
この暗証番号の入力処理が終了すると、表示部２に引き出し金額の入力を促す画面が表示される（ステップＳ４０４）。そして、利用者により引き出し金額が入力されると、カードが返却され（ステップＳ４０５）、最後に、金銭の入出金を行う入出金口５から現金が引き出される（ステップＳ４０６）。
【００２４】
次に、ステップＳ４０３の暗証番号入力処理の流れについて図５のフローチャートを参照して詳細に説明する。ここでは、暗証番号が４桁として説明する。
利用者により、ステップＳ４０２（図４参照）において、取引選択画面の中から引き出し取引が選択されると、表示制御部１１（図２参照）の制御により表示部２に「暗証番号入力ガイダンス」が表示される（ステップＳ５０１）。
図６は、自動取引装置１の表示部２（図１参照）に「暗証番号入力ガイダンス」を表示した例を示したものである。この表示により、暗証番号を備え付けの回転ノブ３で入力することを利用者に案内する。
【００２５】
そして、利用者により回転ノブ３を用いて暗証番号を入力することが確認され、確認ボタン６０１が押されると、表示制御部１１の制御により「回転ノブの操作方法」を説明する画面が表示部２に表示される（ステップＳ５０２）。
図７は、表示部２に「回転ノブの操作方法」を表示した例を示したものである。この表示において、（１）まず暗証番号の１桁目の数字を入力すること、（２）初期値が「０」であること、（３）回転ノブを右回りに４５度ずつ回転させると数字の値が「＋１」ずつ増加すること、（４）回転ノブを左回りに４５度ずつ回転させると数字の値が「−１」ずつ減少すること、（５）回転ノブを押下することで数字を確定すること、が説明される。
【００２６】
ここで、利用者自身が所定の回転角である４５度回転ノブ３を回転させたことについて認識できるように、回転ノブ３には、４５度ごとにストッパを設ける。このストッパをやや強く回しストッパを超えることで、利用者が、数字の変更がなされたことを認識できるようにする。
【００２７】
次に、暗証番号の数字を入力するために、利用者により回転ノブ３が回転させられる（ステップＳ５０３）。そして、回転角検知部１２において、回転角が±４５度を超えて回転したと検知するごとに、数字変更部１３が数字の値を「±１」ずつ変更する。
【００２８】
例えば、利用者が入力しようとする４桁の暗証番号が「１２０９」である場合について説明する。
まず、利用者により、最下位桁である１桁目の数字「１」を入力するために、回転ノブ３が右回りに４５度回転させられる。そして、４５度回転ノブ３が回転させられると、数字変更部１３により入力しようとする数字が「０」から「１」に変更される。
【００２９】
図８は、回転ノブ３のストッパの構造と回転ノブ３の押下による数字の確定を概念図として示したものである。
回転ノブ３の円周面の内側には４５度の角度ごとに、矩形状の突起物３１が設けられており、さらにストッパ３２（例えば、Ｌ字状のバネ体）が設けられる。そして、回転ノブ３が回転することにより突起物３１がストッパ３２に接触し、ストッパ３２が湾曲することで回転ノブ３を掴んでいる利用者に抵抗を感じさせ、利用者がさらに回転ノブ３を回転させることで、ストッパ３２を乗り越え、その振動を利用者が感知することで、利用者に所定回転角（ここでは４５度）回転させたことを認識させる。
そして、数字が変更されたことを認識した利用者により、回転ノブ３が押下され数字「１」が確定される（図５のステップＳ５０４）。この暗証番号の１桁目として確定された数字「１」は、暗証番号確定部１４により記憶部１５に記憶される。また、このとき次の暗証番号の入力に備えて、暗証番号確定部１４は、数字「１」をクリアし、記憶部１５に記憶され予め設定された初期値である「０」に戻す。
【００３０】
図５に戻り、回転ノブ３が押下されることにより数字が確定されると（ステップＳ５０４）、暗証番号確定部１４は、記憶部１５に暗証番号４桁すべてが入力されたか否かを判断する（ステップＳ５０５）。４桁すべてが入力されていなければ（ステップＳ５０５→Ｎｏ）、ステップＳ５０２に戻って、次の桁の入力処理を行う。
【００３１】
次に利用者は、２桁目の数字「２」を入力するために、初期値「０」に設定された回転ノブ３を右回りにストッパ３２を２回超える分回転させて確定する。また、３桁目の数字は「０」であるので、利用者は回転ノブを回転させずに初期値「０」のまま、回転ノブ３を押下することで確定する。そして、４桁目の数字の「９」を入力するために、利用者は、左回りにストッパ３２を１回超える分回転させて確定する。
【００３２】
そして、暗証番号の最上位桁である４桁目の数字が回転ノブ３の押下により確定されると、暗証番号確定部１４は、４桁すべてが入力されたと判断し（ステップＳ５０５→Ｙｅｓ）、暗証番号入力処理を終了する。
【００３３】
このようにすることで、表示部２には、暗証番号の入力を促すのみで、回転ノブ３の操作方法だけを表示し、０〜９までの暗証番号の各桁の数字を表示部２に表示させないで、暗証番号の数字を入力することができる。従って、第三者に暗証番号が察知されず、暗証番号を流出されにくくすることができる暗証番号入力装置、暗証番号入力方法、および自動取引装置を提供することができる。
【００３４】
なお、本発明の第１の実施形態においては、暗証番号確定部１４による数字の確定を、回転ノブ３の押下により行ったが、この数字の確定は、例えば回転ノブ３の近傍に設けた確定ボタンを押下させることにより行ってもよいし、表示部２のタッチパネル上に確定キーを設けて押下させることにより行うこともできる。
【００３５】
（第２の実施形態）
図９は、本発明の第２の実施形態に係る暗証番号入力装置の構成例を示す機能ブロック図である。
第１の実施形態と同一の構成には同一の符号を付し、同一の機能を有するものとして説明を省略する。
【００３６】
図９に示すように、第２の実施形態に係る暗証番号入力装置１０′は、第１の実施形態を示す図２の暗証番号入力装置１０に備えられた、表示制御部１１、回転角検知部１２、数字変更部１３、暗証番号確定部１４、記憶部１５、制御部１６に加えて、振動部１７を備えている。
【００３７】
振動部１７は、数字変更部１３により暗証番号として入力しようとする数字が変更されるごとに、その変更された数字に対応する回数の可聴周波数外の振動を発生させる機能を有する。この振動部１７は、回転ノブ３に備え付けられ、例えば、偏心モータや圧電素子を用いることにより、回転ノブ３を振動させ、暗証番号入力のために回転ノブ３を握っている利用者にその振動を報知するものである。
【００３８】
第２の実施形態における暗証番号入力処理は、第１の実施形態における図５のステップＳ５０３において、利用者により回転ノブ３が所定角回転させられたことにより数字変更部１３が数字を変更したとき、振動部１７が変更された数字に対応する回数の振動を発生させることを特徴とする。
例えば、変更した数字が「１」なら「ブー」と１回振動し、「２」なら「ブー、ブー」、数字が「０」なら「ブーーー」と振動時間を長くする等により、利用者に現在入力しようとしている数字を振動として伝えることができる。
なお、利用者により回転ノブ３が所定角回転させられたことにより数字変更部１３が数字を変更したとき、その数字が変更されたことを利用者に報知するために、振動部１７が数字変更部１３による数字の変更ごとに、１回「ブー」と振動させるようにすることもできる。
【００３９】
このようにすることで、利用者は、振動部１７による振動を感知することで入力しようとする暗証番号の数字を確認でき、誤った数字の入力を防ぐことができる。そして、表示部２に０〜９までの暗証番号の数字を表示させることなく、正確に暗証番号を入力することができ、第三者に暗証番号が察知されにくくした暗証番号入力装置、暗証番号入力方法、および自動取引装置を提供することができる。
【００４０】
また、第１の実施形態においては、数字変更部１３は、所定角の回転ごとに数字の値を「±１」ずつ変更することとしたが、第２の実施形態においては、この値の変化量を増加または減少した数字に変更することで任意に設定することができる。例えば、変化量を「±２」と設定し、「０」→「２」→「４」→「６」→「８」→「１」→「３」→「５」→「７」→「９」とする。また、変化量を「±３」と設定し、「０」→「３」→「６」→「９」→「２」→「５」→「８」→「１」→「４」→「７」のように変化させることができる。また、ランダムに数字を設定することも可能である。このようにしても、利用者は、振動部１７による振動によって、入力しようとする現在の数字を認識することが可能となる。
【００４１】
さらに、第１の実施形態においては、ステップＳ５０４において利用者により回転ノブ３が押下されることにより、数字が確定されると、暗証番号確定部１４は、その確定された数字をクリアし、次の桁の入力のため、記憶部１５に記憶され予め設定された初期値である「０」に戻していた。しかし、第２の実施形態においては、この記憶部１５に記憶された初期値を暗証番号確定部１４が、「０」以外の予め設定された数字に変更し若しくはランダムに設定できる。この場合において、振動部１７は、振動の回数によって利用者にその初期値を報知する。
【００４２】
このように暗証番号として入力する数字の変化量、並びに各桁の入力時の初期値を任意に設定することで、第三者に暗証番号を察知されることをさらに防ぐことができる暗証番号入力装置、暗証番号入力方法、および自動取引装置を提供することができる。
【図面の簡単な説明】
【００４３】
【図１】本発明の第１の実施形態に係る自動取引装置を示す図である。
【図２】本発明の第１の実施形態に係る暗証番号入力装置の構成例を示す機能ブロック図である。
【図３】本発明の第１の実施形態に係る回転ノブによる暗証番号入力方法を示す説明図である。
【図４】本発明の第１の実施形態に係る自動取引装置の「引き出し」取引における処理の流れを示すフローチャートである。
【図５】本発明の第１の実施形態に係る暗証番号入力方法の処理の流れを示すフローチャートである。
【図６】本発明の第１の実施形態に係る回転ノブを用いて暗証番号の入力方法を説明した表示画面の一例である。
【図７】本発明の第１の実施形態に係る回転ノブの操作方法と数字の確定方法を説明した表示画面の一例である。
【図８】本発明の第１の実施形態に係る回転ノブの構造を示した概念図である。
【図９】本発明の第２の実施形態に係る暗証番号入力装置の構成例を示す機能ブロック図である。
【符号の説明】
【００４４】
１      自動取引装置
２      表示部
３      回転ノブ
４      カード挿入口
５      入出金口
１０，１０′暗証番号入力装置
１１    表示制御部
１２    回転角検知部
１３    数字変更部
１４    暗証番号確定部
１５    記憶部
１６    制御部
１７    振動部
３１    突起物
３２    ストッパ
【図１】
0005272436.tif 000002
【図２】
0005272436.tif 000003
【図３】
0005272436.tif 000004
【図４】
0005272436.tif 000005
【図５】
0005272436.tif 000006
【図６】
0005272436.tif 000007
【図７】
0005272436.tif 000008
【図８】
0005272436.tif 000009
【図９】
0005272436.tif 000010